(57)【特許請求の範囲】
【請求項１】
アクセス・ストラタム管理のための方法であって、
前記方法は、ユーザ装置（ＵＥ）が実行し、前記方法は、
現在のサービビング・セルからの少なくとも１つのブロードキャスト・チャネルからシステム情報を読取ることと、
前記ブロードキャストされたシステム情報に含まれる情報に基づいて、利用可能なセルが前記ユーザ装置（ＵＥ）に適しているか否かを決定することと、を備え、前記決定するステップは、
前記ブロードキャストされたシステム情報からのシステム・リリース情報と前記ユーザ装置（ＵＥ）のシステム・リリース情報とを比較し、同じであるか否かを決定することと、
前記利用可能なセルを前記ＵＥの最適パフォーマンスに適したものにする特定の特徴を、前記利用可能なセルがサポートするか否かを決定することと、
前記利用可能なセルおよび周波数の組合せがＵＥのタイプに適しているか否かを決定することと、
を備える、方法。
【請求項２】
前記決定するステップが適している場合、前記利用可能なセル上にとどまり、前記利用可能なセルからサービスを取得することをさらに備える、請求項１に記載の方法。
【請求項３】
前記決定するステップが不適切な場合、少なくとも１つの他の周波数上の少なくとも１つの他の利用可能なセルに関してＲＦ信号強度を比較することをさらに備える、請求項１に記載の方法。
【請求項４】
複数のセルからのＲＦ信号強度を測定することをさらに備え、前記利用可能なセルは、前記複数のセルの一部である、請求項３に記載の方法。
【請求項５】
信号強度基準と前記ＲＦ信号強度の前記測定に基づいて、前記利用可能なセルの適合性を決定することをさらに備える、請求項４に記載の方法。
【請求項６】
前記複数のセルからの第２の利用可能なセルに関して、請求項１の前記決定するステップを繰返すことをさらに備える、請求項５に記載の方法。
【請求項７】
電力アップし、前記利用可能なセルを再選択することをさらに備える、請求項６に記載の方法。
【請求項８】
前記ＵＥのタイプは、ハンドセットまたはデータ・カードのいずれかである、請求項１に記載の方法。
【請求項９】
前記ＵＥは、ある決まった３ＧＰＰリリース・タイプ：Ｒｅｌ  ９９，Ｒｅｌ  ４，Ｒｅｌ  ５，Ｒｅｌ  ６，Ｒｅｌ  ７，Ｒｅｌ  ８または次のリリースと互換性がある、請求項１に記載の方法。
【請求項１０】
前記システム情報は、ある決まった無線ネットワーク特徴（たとえば、高速ダウンリンク・パケット・アクセス（ＨＳＤＰＡ）、高速アップリンク・パケット・アクセス（ＨＳＵＰＡ）、マルチプル・インプット・マルチプル・アウトプット（ＭＩＭＯ）、連続パケット接続性）との互換性に関する情報を含む、請求項１に記載の方法。
【請求項１１】
前記システム情報は、１または複数の互換性のある３ＧＰＰリリースおよび、または特徴に関する情報を含む、請求項１に記載の方法。
【請求項１２】
前記ステップは、ロング・ターム・エボリューション（ＬＴＥ）無線デバイスによって行なわれる、請求項１に記載の方法。
【請求項１３】
プロセッサおよびメモリを備えるユーザ装置であって、前記メモリは、
現在のサービスしているセルからの少なくとも１つのブロードキャスト・チャネルからシステム情報を読取ることと、
ブロードキャストされた前記システム情報に含まれている情報に基づいて、利用可能なセルがユーザ装置（ＵＥ）に適しているか否かを決定することと、
を実行するために前記プロセッサによって実行可能なプログラム・コードを含み、前記決定するステップのための前記プログラム・コードは、
前記ブロードキャストされたシステム情報からのシステム・リリース情報と前記ユーザ装置（ＵＥ）のシステム・リリース情報とを比較し、同じであるか否か決定することと、
前記利用可能なセルを前記ＵＥの最適パフォーマンスに適したものにする特定の特徴を、前記利用可能なセルがサポートするか否かを決定することと、
前記利用可能なセルおよび周波数の組合せがＵＥのタイプに適しているか否かを決定することと、
を実行するためのプログラム・コードを備える、ユーザ装置。
【請求項１４】
前記メモリは、前記決定するステップが適切な場合、前記利用可能なセル上にとどまり、前記利用可能なセルからサービスを取得するためのプログラム・コードをさらに備える、請求項１３に記載のユーザ装置。
【請求項１５】
前記メモリは、前記決定するステップが不適切な場合、少なくとも１つの他の周波数上の少なくとも１つの他の利用可能なセルに関してＲＦ信号強度を比較するためのプログラム・コードをさらに備える、請求項１３に記載のユーザ装置。
【請求項１６】
前記メモリは、複数のセルからのＲＦ信号強度を測定するためのプログラム・コードをさらに備え、前記利用可能なセルは前記複数のセルの一部である、請求項１５に記載のユーザ装置。
【請求項１７】
前記メモリは、信号強度基準と前記ＲＦ信号強度の前記測定に基づいて、前記利用可能なセルの適合性を決定するためのプログラム・コードをさらに備える、請求項１６に記載のユーザ装置。
【請求項１８】
前記メモリは、前記複数のセルからの第２の利用可能なセルに関して、請求項１３の前記決定するステップを繰返すためのプログラム・コードをさらに備える、請求項１７に記載のユーザ装置。
【請求項１９】
前記メモリは、パワーアップし、前記利用可能なセルを再選択するためのプログラム・コードをさらに備える、請求項１８に記載のユーザ装置。
【請求項２０】
前記ＵＥのタイプはハンドセットまたはデータ・カードのいずれかである、請求項１３に記載のユーザ装置。
【請求項２１】
前記ＵＥは、ある決まった３ＧＰＰリリース・タイプ：Ｒｅｌ  ９９，Ｒｅｌ  ４，Ｒｅｌ  ５，Ｒｅｌ  ６，Ｒｅｌ  ７，Ｒｅｌ  ８または次のリリースと互換性がある、請求項１３記載のユーザ装置。
【請求項２２】
前記システム情報は、ある決まった無線ネットワーク特徴（たとえば、高速ダウンリンク・パケット・アクセス（ＨＳＤＰＡ）、高速アップリンク・パケット・アクセス（ＨＳＵＰＡ）、マルチプル・インプット・マルチプル・アウトプット（ＭＩＭＯ）、連続パケット接続性）との互換性に関する情報を含む、請求項１３に記載のユーザ装置。
【請求項２３】
前記システム情報は、１または複数の互換性のある３ＧＰＰリリースおよび、または特徴に関する情報を含む、請求項１３に記載のユーザ装置。
【請求項２４】
前記ＵＥは、ロング・ターム・エボリューション（ＬＴＥ）無線デバイスである、請求項１３に記載のユーザ装置。
【請求項２５】
現在のサービスしているセルからの少なくとも１つのブロードキャスト・チャネルからシステム情報を読取るための手段と、
ブロードキャストされた前記システム情報に含まれている情報に基づいて、利用可能なセルがユーザ装置（ＵＥ）に適しているか否かを決定するための手段と、を備え、前記決定するための手段は、
前記ブロードキャストされたシステム情報からのシステム・リリース情報と前記ユーザ装置（ＵＥ）のシステム・リリース情報とを比較し、同じであるか否か決定するための手段と、
前記利用可能なセルを前記ＵＥの最適パフォーマンスに適したものにする特定の特徴を、前記利用可能なセルがサポートするか否かを決定するための手段と、
前記利用可能なセルおよび周波数の組合せがＵＥのタイプに適しているか否かを決定するための手段と、
を備える、アクセス・ストラタム管理のためのユーザ装置。
【請求項２６】
前記決定するための手段が適切であった場合、前記利用可能なセル上にとどまり、前記利用可能なセルからサービスを取得するための手段をさらに備える、請求項２５記載のユーザ装置。
【請求項２７】
前記決定するための手段が不適切であった場合、少なくとも１つの他の周波数上の少なくとも１つの他の利用可能なセルに関してＲＦ信号強度を比較するための手段をさらに備える、請求項２５記載のユーザ装置。
【請求項２８】
複数のセルからのＲＦ信号強度を測定するための手段をさらに備え、前記利用可能なセルは、前記複数のセルの一部である、請求項２７記載のユーザ装置。
【請求項２９】
信号強度基準と前記ＲＦ信号強度の前記測定に基づいて、前記利用可能なセルの適合性を決定するための手段をさらに備える、請求項２８記載のユーザ装置。
【請求項３０】
前記複数のセルからの第２の利用可能なセルに関して、請求項２５における前記決定するための手段を使用可能にするための手段をさらに備える、請求項２９記載のユーザ装置。
【請求項３１】
電力アップし、前記利用可能なセルを再選択するための手段をさらに備える、請求項３０記載のユーザ装置。
【請求項３２】
前記ＵＥのタイプはハンドセットまたはデータ・カードのいずれかである、請求項２５記載のユーザ装置。
【請求項３３】
前記ＵＥは、ある決まった３ＧＰＰリリース・タイプ：Ｒｅｌ  ９９，Ｒｅｌ  ４，Ｒｅｌ  ５，Ｒｅｌ  ６，Ｒｅｌ  ７，Ｒｅｌ  ８または次のリリースと互換性がある、請求項２５記載のユーザ装置。
【請求項３４】
前記システム情報は、ある決まった無線ネットワーク特徴（たとえば、高速ダウンリンク・パケット・アクセス（ＨＳＤＰＡ）、高速アップリンク・パケット・アクセス（ＨＳＵＰＡ）、マルチプル・インプット・マルチプル・アウトプット（ＭＩＭＯ）、連続パケット接続性）との互換性に関する情報を含む、請求項２５記載のユーザ装置。
【請求項３５】
前記システム情報は、１または複数の互換性のある３ＧＰＰリリースおよび、または特徴に関する情報を含む、請求項２５記載のユーザ装置。
【請求項３６】
前記ＵＥは、ロング・ターム・エボリューション（ＬＴＥ）無線デバイスである、請求項２５記載のユーザ装置。
【請求項３７】
コンピュータ・プログラムを格納するコンピュータ可読記憶媒体であって、前記コンピュータ・プログラムは、
現在のサービスしているセルからの少なくとも１つのブロードキャスト・チャネルからシステム情報を読取ることと、
ブロードキャストされた前記システム情報に含まれている情報に基づいて、利用可能なセルがユーザ装置（ＵＥ）に適しているか否かを決定することと、
のために実行され、前記決定するステップは、
前記ブロードキャストされたシステム情報からのシステム・リリース情報と前記ユーザ装置（ＵＥ）のシステム・リリース情報とを比較し、同じであるか否か決定することと、
前記利用可能なセルを前記ＵＥの最適パフォーマンスに適したものにする特定の特徴を、前記利用可能なセルがサポートするか否かを決定することと、
前記利用可能なセルおよび周波数の組合せがＵＥのタイプに適しているか否かを決定することと、
を備える、コンピュータ可読記憶媒体。
【発明の詳細な説明】
【関連出願】
【０００１】
米国特許法第１１９条に基づく優先権の主張  
本出願は、本出願の譲受人に譲渡され、参照により本明細書に明確に組み込まれる、２００９年２月１日に出願された「Method and Apparatus for Access Stratum Management of Wireless Devices」と題する米国仮出願第６１／１４８，９７０号の優先権を主張する。
【技術分野】
【０００２】
本開示は、一般に、無線ネットワークへのアクセスを制御するための装置および方法に関する。具体的には、本開示は、無線デバイスのアクセス・ストラタム管理に関する。
【背景技術】
【０００３】
無線通信システムは、固定されたテレコミュニケーション・インフラストラクチャから移動している、および／または隔てられたモバイル・ユーザに種々様々の通信サービスを配信する。これらの無線システムは、しばしばセルラ・ジオメトリで、無線通信ネットワーク中の様々な基地局とモバイル・ユーザ・デバイスを相互接続するために無線技術を使用する。基地局は、次に、モバイル・ユーザ・デバイスからインターネット、公衆交換電話網（ＰＳＴＮ）等のような異なる通信ネットワーク上の他のユーザへの接続、およびモバイル・ユーザ・デバイスへの接続の経路を決めるモバイル交換局(mobile switching centers)に接続される。このように、固定されたサイトから離れているか、あるいは移動中であるユーザは、電話通信、ページング、メッセージング、電子メール、データ転送、ビデオ、ウェブ・ブラウジング等のような、様々な通信サービスを受信することができる。
【０００４】
無線周波数は、基地局とモバイル・ユーザとの無線相互接続のために使用されるので、すべての無線ユーザは、無線通信サービスに割り当てられた乏しい無線スペクトルを共有するために、プロトコルの共通したセットに同意しなければならない。１つの重要なプロトコルは、モバイル・ユーザ・デバイスを無線通信ネットワークに接続するために使用されるアクセス方法に関するものである。様々なアクセス方法は、周波数分割多元接続（ＦＤＭＡ）、時分割多元接続（ＴＤＭＡ）、符号分割多元接続（ＣＤＭＡ）、および直交周波数分割多重（ＯＦＤＭ）を含む。ＯＦＤＭは、各キャリア上で変調されたデータが他のものに直交であるように周波数領域において間隔を隔てられた複数のキャリアを使用する。
【０００５】
１つの一般的な無線通信プロトコル・スイートは、ＵＭＴＳ（Universal Mobile Telecommunications System）として知られている。ＵＭＴＳは、一連のプロトコル・リリースで文書化された進行中のアップグレードを備えた、進化している第３世代の無線通信システムである。たとえば、リリース１９９９（Ｒ９９）は、ＵＭＴＳのための基本的な回路交換およびパケット交換ネットワーク・サービスを確立した。Ｒｅｌ−４、Ｒｅｌ−５、Ｒｅｌ−６、Ｒｅｌ−７、Ｒｅｌ−８等のような、その後のリリースは、たとえば、増加したデータ・レート、改善されたインターネット・プロトコル（ＩＰ）アクセス、より高次の変調、マルチプル・インプット・マルチプル・アウトプット（ＭＩＭＯ）送信等の、多くの態様においてＵＭＴＳの能力を高めている。
【発明の概要】
【０００６】
無線デバイスのアクセス・ストラタム管理のための方法及び装置が開示される。１つの態様によると、アクセス・ストラタム管理のための方法は、現在のサービング・セルからの少なくとも１つのブロードキャスト・チャネルからシステム情報を読取ることと、ブロードキャストされたシステム情報に含まれている情報に基づいて利用可能なセルがユーザ装置（ＵＥ）に適しているか否かを決定することと、を備え、決定するステップは、ブロードキャストされたシステム情報からのユーザ装置（ＵＥ）のシステム・リリース情報を比較すること、利用可能なセルをＵＥの最適パフォーマンスに適したものにする特定の特徴を、利用可能なセルがサポートするか否かを決定すること、あるいは利用可能なセルおよび周波数の組合せがＵＥのタイプに適しているか否かを決定すること、のうちの少なくとも１つを備える。
【０００７】
別の態様によると、ユーザ装置はプロセッサおよびメモリを備え、メモリは、現在のサービング・セルからの少なくとも１つのブロードキャスト・チャネルからシステム情報を読取ることと、ブロードキャストされたシステム情報に含まれている情報に基づいて利用可能なセルがユーザ装置（ＵＥ）に適しているか否かを決定することと、を行なうためにプロセッサによって実行可能なプログラム・コードを含み、決定するステップのためのプログラム・コードは、ブロードキャストされたシステム情報からのユーザ装置（ＵＥ）のシステム・リリース情報を比較すること、利用可能なセルをＵＥの最適パフォーマンスに適したものにする特定の特徴を、利用可能なセルがサポートするか否かを決定すること、あるいは利用可能なセルおよび周波数の組合せがＵＥのタイプに適しているか否かを決定すること、のうちの少なくとも１つを行なうためのプログラム・コードを備える。
【０００８】
別の態様によると、アクセス・ストラタム管理のためのユーザ装置は、現在のサービング・セルからの少なくとも１つのブロードキャストチャネルからシステム情報を読取るための手段と、ブロードキャストされたシステム情報に含まれている情報に基づいて利用可能なセルがユーザ装置（ＵＥ）に適しているか否かを決定するための手段と、を備え、決定するための手段は、ブロードキャストされたシステム情報からのユーザ装置（ＵＥ）のシステム・リリース情報を比較するための手段、利用可能なセルをＵＥの最適パフォーマンスに適したものにする特定の特徴を、利用可能なセルがサポートするか否かを決定するための手段、あるいは利用可能なセルおよび周波数の組合せがＵＥのタイプに適しているか否かを決定するための手段、のうちの少なくとも１つを備える。
【０００９】
さらに別の態様によると、コンピュータ可読媒体は、コンピュータ・プログラムを格納し、ここにおいて、コンピュータ・プログラムは、現在のサービング・セルからの少なくとも１つのブロードキャストチャネルからシステム情報を読取ることと、ブロードキャストされたシステム情報に含まれている情報に基づいて利用可能なセルがユーザ装置（ＵＥ）に適しているか否かを決定することと、のために実行され、決定するステップは、ブロードキャストされたシステム情報からのユーザ装置（ＵＥ）のシステム・リリース情報を比較すること、利用可能なセルをＵＥの最適パフォーマンスに適したものにする特定の特徴を、利用可能なセルがサポートするか否かを決定すること、あるいは利用可能なセルおよび周波数の組合せがＵＥのタイプに適しているか否かを決定すること、のうちの少なくとも１つを備える。
【００１０】
本願開示の利点は、特定の基準に基づいて、あるキャリアがユーザ装置（ＵＥ）による使用に適しているか否かを決定し、ある決まった指定された基準を満たすＵＥだけがある決まったキャリア（すなわち、周波数）上にとどまる(camp)ことができることを確実にする能力を含む。
【００１１】
他の態様は、例示によって図示され説明されている様々な態様である以下の詳細な説明から当業者に容易に明らかになることが認識される。図面および詳細な説明は、限定的なものはなく、本質的に例示的なものと考えるべきである。
【図面の簡単な説明】
【００１２】
【図１】図１は、２つの端末システムの一例を示すブロック図である。
【図２】図２は、複数のユーザ・デバイスをサポートする無線通信システムの一例を示す。
【図３】図３は、ＵＭＴＳプロトコル・スタックの一例を示す。
【図４Ａ】図４Ａは、無線デバイスのアクセス・ストラタム・リリースのための一例のフローチャートを示す。
【図４Ｂ】図４Ｂは、無線デバイスのアクセス・ストラタム・リリースのための一例のフローチャートを示す。
【図５】図５は、無線デバイスのアクセス・ストラタム・リリースのためのプロセスを実行するメモリと通信しているプロセッサを備えたデバイスの一例を示す。
【図６Ａ】図６Ａは、無線デバイスのアクセス・ストラタム・リリースに適したデバイスの一例を示す。
【図６Ｂ】図６Ｂは、無線デバイスのアクセス・ストラタム・リリースに適したデバイスの一例を示す。
【発明を実施するための形態】
【００１３】
添付された図面に関して下記に記載された詳細な説明は、本開示の様々な態様の説明として意図され、本開示が実行され得る態様だけを表わすようには意図されていない。この開示に記載れた各態様は、本開示の単なる一例または実例として与えられているに過ぎず、他の態様に対して好ましいまたは有利なものとして必ずしも解釈されるべきではない。詳細な説明は、本開示の完全な理解を提供するための特定の詳細を含む。しかしながら、本開示はこれらの特定の詳細なしで実行されることができることは当業者に明白であろう。いくつかの例では、よく知られている構造およびデバイスは本願開示の概念を不明瞭にしないようにするためにブロック図の形で示されている。頭字語および他の記述的な用語は、単に便宜上および簡明さのために使用されることができ、本願開示の技術的範囲を制限するものではない。
【００１４】
説明を簡明にするために、方法が一連の動作として図示され、説明されているが、方法は、動作の順序によって制限されないことが理解され、認識されるべきである。何故なら、幾つかの動作は、１または複数の態様によると、ここに説明され、図示されているものとは異なった順序で、および、または他の動作と同時に、行なわれることができるからである。たとえば、当業者は、ある方法論が、状態図におけるもののような、相互に関係のある状態または事象の連続として、代わりに示されることができることを理解し、認識するであろう。さらに、１または複数の態様による方法論をインプリメントするために、例示された動作のすべてが必要とされるわけではない。
【００１５】
ここに記述された技術は、ＣＤＭＡ(Code Division Multiple Access)ネットワーク、ＴＤＭＡ(Time Division Multiple Access)ネットワーク、ＦＤＭＡ(Frequency Division Multiple Access)ネットワーク、ＯＦＤＭＡ(Orthogonal FDMA)ネットワーク、ＳＣ−ＦＤＭＡ(Single-Carrier FDMA)ネットワーク等のような様々な無線通信ネットワークに使用されることができる。「ネットワーク」および「システム」という用語は、しばしば、交換可能に使用されることができる。ＣＤＭＡネットワークは、ＵＴＲＡ(Universal Terrestrial Radio Access)、ｃｄｍａ２０００等のような無線テクノロジをインプリメントし得る。ＵＴＲＡは、広帯域ＣＤＭＡ（Ｗ−ＣＤＭＡ）およびＬＣＲ(Low Chip Rate)を含む。ｃｄｍａ２０００はＩＳ−２０００、ＩＳ−９５およびＩＳ−８５６標準をカバーする。ＴＤＭＡネットワークは、ＧＳＭ（登録商標）(Global System for Mobile Communications)（登録商標）のような無線テクノロジをインプリメントすることができる。ＯＦＤＭＡネットワークは、Ｅ−ＵＴＲＡ(Evolved UTRA)、ＩＥＥＥ８０２．１１、ＩＥＥＥ８０２．１６、ＩＥＥＥ８０２．２０、フラッシュ−ＯＦＤＭ（登録商標）等のような無線テクノロジをインプリメントすることができる。ＵＴＲＡ、Ｅ−ＵＴＲＡ、およびＧＳＭは、ＵＭＴＳ(Universal Mobile Telecommunication System)の一部である。ＬＴＥ(Long Term Evolution)は、Ｅ−ＵＴＲＡを使用するＵＭＴＳの新しいリリースである。ＵＴＲＡ、Ｅ−ＵＴＲＡ、ＧＳＭ、ＵＭＴＳおよびＬＴＥは「第３世代パートナーシップ・プロジェクト(3rd Generation Partnership Project)」（３ＧＰＰ）という名の団体からの文献に記載されている。ｃｄｍａ２０００は、「第３世代パートナーシップ・プロジェクト２」（３ＧＰＰ２）という名の団体からの文献に記載されている。これらの種々の無線テクノロジーおよび標準は、技術的に知られている。簡明さのために、技術のある態様がＬＴＥに関して下記に示されており、ＬＴＥの用語は下記の説明の多くの中で使用されている。
【００１６】
多数の通信システムにおいて、通信ネットワークは、対話している空間的に分離された、いくつかのデバイス間でメッセージを交換するために使用される。様々なタイプのネットワークは、異なる態様において分類されることができる。一例において、ネットワークの地理的範囲は、広域、大都市圏、ローカル・エリア、あるいはパーソナル・エリアにわたることができ、また、対応するネットワークは、ＷＡＮ(wide area network)、ＭＡＮ(metropolitan area network)、ＬＡＮ(local area network)、あるいはＰＡＮ(personal area network)として指定される。ネットワークはまた、種々のネットワーク・ノードおよびデバイス（たとえば、回線交換対パケット交換）を相互接続するために使用される交換／ルーティング技術において、送信（たとえば、有線対無線）のために使用された物理的な媒体のタイプにおいて、あるいは使用される通信プロトコルのセット（たとえば、インターネット・プロトコル・スーツ、ＳＯＮＥＴ(Synchronous Optical Networking)、イーサネット（登録商標）等）において異なる。
【００１７】
通信ネットワークの１つの重要な特性は、ネットワークの構成要素間における電気信号の送信のための有線あるいは無線媒体の選択である。有線ネットワークの場合には、銅線、同軸ケーブル、光ファイバ・ケーブル等のような実体のある物理的媒体が、長距離にわたってメッセージ・トラヒックを伝送する誘導電磁波形を伝播するために使用される。有線ネットワークは、通信ネットワークの静的な形態であり、固定されたネットワーク・エレメントの相互接続、あるいは大容量データ転送のために典型的に好まれる。たとえば、光ファイバ・ケーブルは、しばしば、地上のいたる所の構成要素間のあるいは構成要素を横切る大容量データ・トランスポートのような、大規模なネットワーク・ハブ間の長距離にわたる非常に高いスループット・トランスポート・アプリケーションに好ましい送信媒体である。
【００１８】
他方において、ネットワーク・エレメントが動的接続性のニーズを有するモバイルであるとき、あるいはネットワーク・アーキテクチャが固定されたトポロジではなく、アド・ホック・トポロジである場合、無線ネットワークがしばしば好まれる。無線ネットワークは、無線、マイクロ波、赤外線、光等の周波数帯域で電磁波を使用して、非誘導伝播モードで実体のない物理的媒体を使用する。無線ネットワークは、固定された有線ネットワークと比較して、ユーザ・モビリティおよび迅速なフィールド配置を容易にするという明確な利点を有する。しかしながら、無線伝播の使用には、互換性のあるスペクトル利用のための高いレベルの相互調整および協力と、ネットワーク・ユーザ間における著しいアクティブ・リソース管理が要求される。
【００１９】
一例において、無線ネットワークは、様々な無線プロトコルと互換性がある。無線プロトコルの典型的なバージョンは、ＵＭＴＳ(Universal Mobile Telecommunications System)、ＨＳＤＰＡ(High Speed Downlink Packet Access)、ＨＳＵＰＡ(High Speed Uplink Packet Access)、ＬＴＥ(Long Term Evolution)等を含む。これらのプロトコルに準拠した無線システムは、電話通信、メッセージング、データ転送、電子メール、インターネット・アクセス、オーディオ・ブロードキャスト、ビデオ通信等のような様々な通信サービスに使用される。これらの無線システムは、一般に、固定されたテレコミュニケーションズ・インフラストラクチャ・ネットワークに、ユーザ・デバイスあるいはユーザ装置（ＵＥ）あるいはユーザ・デバイスとしても知られている個々のアクセス端末（ＡＴ）を接続するために、基地局（ＢＳ）あるいはノードＢとしても知られるアクセス・ノード（ＡＮ）を使用する。一般に、無線カバレージ・エリアは、エア・インターフェースとしても知られている無線アクセスをＵＥ（たとえば、ユーザ・デバイス）に提供するためにセルラ・ベース・トポロジカル・アーキテクチャを使用する複数のノードＢを使用して、インプリメントされる。固定されたテレコミュニケーションズ・インフラストラクチャ・ネットワークの例は、ＰＳＴＮ(public switched telephony network)、インターネット、プライベート・データ・ネットワーク等を含む。１つの態様では、ノードＢは、固定されたテレコミュニケーションズ・インフラストラクチャ・ネットワークへの相互接続を容易にするためにＲＮＣ(Radio Network Controller)に接続されることができる。
【００２０】
図１は、２つの端末システム１００の一例を示すブロック図である。当業者は、図１に示された例示的な２つの端末システム１００がＦＤＭＡ環境、ＯＦＤＭＡ環境、ＣＤＭＡ環境、ＷＣＤＭＡ環境、ＴＤＭＡ環境、ＳＤＭＡ環境あるいは任意の他の適切な無線環境においてインプリメントされることができることを理解するであろう。
【００２１】
１つの態様において、２つの端末システム１００は、アクセス・ノード１０１（たとえば、基地局あるいはノードＢ）およびユーザ装置すなわちＵＥ ２０１（たとえば、ユーザ・デバイス）を含む。ダウンリンク区間において、アクセス・ノード１０１（たとえば、基地局あるいはノードＢ）は、トラヒック・データを受取り、フォーマットし、コード化し、インターリーブし、変調し（あるいはシンボル・マップし）、変調シンボル（たとえば、データ・シンボル）を提供する送信（ＴＸ）データ・プロセッサＡ  １１０を含む。ＴＸデータ・プロセッサＡ  １１０は、シンボル変調器Ａ  １２０と通信する。シンボル変調器Ａ  １２０は、データ・シンボルおよびダウンリンク・パイロット・シンボルを受取り、処理して、シンボルのストリームを提供する。１つの態様では、シンボル変調器Ａ  １２０は、トラヒック・データを変調し（あるいはシンボル・マップし）、変調シンボル（たとえば、データ・シンボル）を提供する。１つの態様では、シンボル変調器Ａ  １２０は、構成情報を提供するプロセッサＡ  １８０と通信している。シンボル変調器Ａ  １２０は、送信機（ＴＭＴＲ）Ａ  １３０と通信している。シンボル変調器Ａ  １２０は、データ・シンボルおよびダウンリンク・パイロット・シンボルを多重化し、それらを送信機Ａ  １３０に提供する。
【００２２】
送信される各シンボルは、データ・シンボル、ダウンリンク・パイロット・シンボルあるいは０の信号値であることができる。ダウンリンク・パイロット・シンボルは、各シンボル期間に連続的に送られることができる。１つの態様では、ダウンリンク・パイロット・シンボルは、周波数分割多重化（ＦＤＭ）される。別の態様では、ダウンリンク・パイロット・シンボルは、直交周波数分割多重化（ＯＦＤＭ）される。さらに別の態様では、ダウンリンク・パイロット・シンボルは、符号分割多重化（ＣＤＭＡ）される。１つの態様においては、送信機Ａ  １３０は、シンボルのストリームを受信して１または複数のアナログ信号に変換し、アナログ信号を、たとえば、増幅し、フィルタに掛け、および／または周波数アップコンバートする等、さらに調整して、無線送信に適したアナログ・ダウンリンク信号を生成する。アナログ・ダウンリンク信号はその後、アンテナ１４０によって送信される。
【００２３】
ダウンリンク区間において、ＵＥ  ２０１（たとえば、ユーザ・デバイス）は、アナログ・ダウンリンク信号を受信してアナログ・ダウンリンク信号を受信機（ＲＣＶＲ）Ｂ  ２２０へ入力するアンテナ２１０を含む。１つの態様では、受信機Ｂ  ２２０は、アナログ・ダウンリンク信号を第１の「調整された」信号に、たとえば、フィルタに掛け、増幅し、周波数ダウンコンバートする等、さらに調整する。第１の「調整された」信号はその後、サンプリングされる。受信機Ｂ  ２２０は、シンボル復調器Ｂ  ２３０と通信する。シンボル復調器Ｂ  ２３０は、受信機Ｂ  ２２０から出力された第１の「調整されて」「サンプリングされた」信号（たとえば、データ・シンボル）を復調する。当業者は、代替の態様がシンボル復調器Ｂ  ２３０でのサンプリング・プロセスをインプリメントすることができることを理解するであろう。シンボル復調器Ｂ  ２３０は、プロセッサＢ  ２４０と通信する。プロセッサＢ  ２４０は、シンボル復調器Ｂ  ２３０からダウンリンク・パイロット・シンボルを受取り、ダウンリンク・パイロット・シンボルに関するチャネル推定を行なう。１つの態様では、チャネル推定は現在の伝播環境を特徴づけるプロセスである。シンボル復調器Ｂ  ２３０は、プロセッサＢ  ２４０からダウンリンク・レッグについての周波数応答推定値を受取る。シンボル復調器Ｂ  ２３０は、ダウンリンク・パスに関するデータ・シンボル推定値を得るためにデータ・シンボルに関してデータ復調を行なう。ダウンリンク・パスに関するデータ・シンボル推定値は、送信されたデータ・シンボルの推定値である。シンボル復調器Ｂ  ２３０はまた、ＲＸデータ・プロセッサＢ  ２５０と通信する。
【００２４】
ＲＸデータ・プロセッサＢ  ２５０は、シンボル復調器Ｂ  ２３０からダウンリンク・パスに関するデータ・シンボル推定値を受取り、ダウンリンク・パスに関するデータ・シンボル推定を、たとえば、復調し（すなわち、シンボル・マップし）、デインタリーブし、および、または復号して、トラヒック・データを復元する。１つの態様では、シンボル復調器Ｂ  ２３０およびＲＸデータ・プロセッサＢ  ２５０による処理は、それぞれ、シンボル変調器Ａ  １２０およびＴＸデータ・プロセッサＡ  １１０による処理と相補的である。
【００２５】
アップリンク区間においては、ＵＥ  ２０１（たとえば、ユーザ・デバイス）は、ＴＸデータ・プロセッサＢ  ２６０を含む。ＴＸデータ・プロセッサＢ  ２６０は、トラヒック・データを受取って処理し、データ・シンボルを出力する。ＴＸデータ・プロセッサＢ  ２６０はシンボル変調器Ｄ  ２７０と通信している。シンボル変調器Ｄ  ２７０はデータ・シンボルを受取り、アップリンク・パイロット・シンボルで多重化し、変調を行い、シンボルのストリームを提供する。１つの態様では、シンボル変調器Ｄ  ２７０は構成情報を提供するプロセッサＢ  ２４０と通信している。シンボル変調器Ｄ  ２７０は送信機Ｂ  ２８０と通信している。
【００２６】
送信される各シンボルはデータ・シンボル、アップリンク・パイロット・シンボルあるいは０の信号値であることができる。アップリンク・パイロット・シンボルは、各シンボル期間に連続的に送られることができる。１つの態様において、アップリンク・パイロット・シンボルは、周波数分割多重化（ＦＤＭ）される。別の態様では、アップリンク・パイロット・シンボルは、直交周波数分割多重化（ＯＦＤＭ）される。さらに別の態様では、アップリンク・パイロット・シンボルは、符号分割多重化（ＣＤＭＡ）される。１つの態様においては、送信機Ｂ  ２８０は、シンボルのストリームを受信して１または複数のアナログ信号に変換し、アナログ信号を、たとえば、増幅し、フィルタに掛け、および／または周波数アップコンバートする等、さらに調整して、無線送信に適したアナログ・アップリンク信号を生成する。アナログ・アップリンク信号はその後、アンテナ２１０によって送信される。
【００２７】
ＵＥ  ２０１（たとえば、ユーザ・デバイス）からのアナログ・アップリンク信号はアンテナ１４０によって受信され、サンプルを得るために受信機Ａ  １５０によって処理される。１つの態様では、受信機Ａ  １５０は、アナログ・アップリンク信号を第２の「調整された」信号に、たとえば、フィルタに掛け、増幅し、周波数ダウンコンバートする等、調整する。第２の「調整された」信号はその後、サンプリングされる。受信機Ａ  １５０は、シンボル復調器Ｃ  １６０と通信している。当業者は、代替の態様がシンボル復調器Ｃ  １６０でのサンプリング・プロセスをインプリメントすることができることを理解するであろう。シンボル復調器Ｃ  １６０は、アップリンク・パスに関するデータ・シンボル推定値を得るためにデータ・シンボルに関してデータ復調を行い、その後アップリンク・パスに関するデータ・シンボル推定値をＲＸデータ・プロセッサＡ  １７０に提供する。アップリンク・パスに関するデータ・シンボル推定値は、送信されたデータ・シンボルの推定値である。ＲＸデータ・プロセッサＡ  １７０は、無線通信デバイス２０１によって送信されたトラヒック・データを復元するためにアップリンク・パスに関するデータ・シンボル推定を処理する。シンボル復調器Ｃ  １６０はまたプロセッサＡ  １８０と通信する。プロセッサＡ  １８０は、アップリンク区間上で送信しているアクティブ端末のチャネル推定を行なう。１つの態様では、多数の端末は、パイロット・サブバンド・セットがインターレースされることができる、それらのそれぞれの割り当てられたパイロット・サブバンドのセット上でアップリンク区間上においてパイロット・シンボルを同時に送信することができる。
【００２８】
プロセッサＡ  １８０およびプロセッサＢ  ２４０は、アクセス・ノード１０１（たとえば、基地局あるいはノードＢ）およびＵＥ２０１（たとえば、ユーザ・デバイス）それぞれにおける動作を命令する(すなわち、コントロールする、調整する、あるいは管理する等）。１つの態様では、いずれかあるいは両方のプロセッサＡ  １８０およびプロセッサＢ  ２４０は、プログラム・コードおよび、またはデータの格納のための１または複数の記憶装置（示されていない）に関連している。１つの態様において、プロセッサＡ  １８０あるいはプロセッサＢ  ２４０のいずれかあるいは両方は、アップリンク区間およびダウンリンク区間のそれぞれについて周波数とインパルス応答推定値を導出するために計算を行なう。
【００２９】
１つの態様では、２つの端末システム１００は多元接続システムである。多元接続システム（たとえば、周波数分割多元接続（ＦＤＭＡ）、直交周波数分割多元接続（ＯＦＤＭＡ）、符号分割多元接続（ＣＤＭＡ）、時分割多元接続（ＴＤＭＡ）、空間分割多元接続（ＳＤＭＡ）等）では、多数の端末はアップリンク・レグ上で同時に送信し、複数のＵＥ（たとえば、ユーザ・デバイス）へのアクセスを可能にする。１つの態様では、多元接続システムでは、パイロット・サブバンドは様々な端末の間で共有されることができる。チャンネル推定技術は、各端末のパイロット・サブバンドが動作帯域(おそらく、帯域の両端を除く)全体にわたる場合に使用される。このようなパイロット・サブバンド構造は各端末に関する周波数ダイバーシティを得るのに望ましい。
【００３０】
図２は、複数のユーザ・デバイスをサポートする無線通信システム２９０の一例を示す。図２において、参照符号２９２Ａ乃至２９２Ｇはセルを示し、参照符号２９８Ａ乃至２９８Ｇは基地局（ＢＳ）或いはノードＢを示し、参照符号２９６Ａ乃至２９６Ｊはアクセス・ユーザ・デバイス（別名、ユーザ装置（ＵＥ））を示す。セルのサイズは変化し得る。様々なアルゴリズムおよび方法のうちの任意のものがシステム２９０での送信をスケジュールするために使用されることができる。システム２９０はいくつかのセル２９２Ａ乃至２９２Ｇの通信を提供し、それらの各々は対応する基地局２９８Ａ乃至２９８Ｇによりそれぞれサービスされる。
【００３１】
情報を交換している２つのノード間の通信プロセスは、プロトコル・スタックによって都合よく説明されることができる。プロトコル・スタックは、２つのピア・エンティティ間の通信プロセスの層化分解モデルである。このモデルにおいては、通信の物理的な態様（たとえば、物理層）に関連したプロセスは、プロトコル・スタックにおいて下位層として現われ、ユーザ態様（たとえば、アプリケーション層）に関連したプロセスは、プロトコル・スタックにおいて上位の層として現われる。下位層は、上位層にサービスを提供する。
【００３２】
図３は、ＵＭＴＳプロトコル・スタックの一例を示す。一例において、無線通信システムのプロトコル・スタックは、図３に示されているアクセス・ストラタムおよびノンアクセス・ストラタムとして知られている２つの層へ分解されることができる。アクセス・ストラタムは、エンド・ユーザへの通信アクセスを提供し、ノンアクセス・ストラタムによりコア・ネットワークに提供されるトランスポート・サービスをサポートする。１つの態様では、アクセス・ストラタムは、無線インターフェース・ファンクションのＵＭＴＳプロトコル・スタックの下位の一部を表わし、物理（ＰＨＹ）層、中間アクセス制御（ＭＡＣ）層、無線リンク制御（ＲＬＣ）層、およびパケット・データ・コンバージェンス・プロトコル（ＰＤＣＰ）層を含む。
【００３３】
１つの態様では、ストラタムは、ある１つのノードによって提供されるある決まった通信サービスに関連したプロトコルをグループ分けしたものとして規定される。一例において、アクセス・ストラタムは、物理層態様（変調、コード化、拡散等）、中間アクセス層（ＭＡＣ）態様、無線リンク制御（ＲＬＣ）態様等のような、無線ネットワークへのユーザ・アクセスに影響を与えるエンティティから成る。対照的に、ノンアクセス・ストラタムは、アクセス方法（たとえば、ファイル転送プロトコル（ＦＴＰ）、ボイス・オーバーＩＰ（ＶｏＩＰ）等）とは無関係に、ユーザからユーザへの通信に影響を与えるエンティティから成る。
【００３４】
１つの態様において、無線ユーザ装置（ＵＥ）は、無線ネットワークにアクセスするか、あるいは信号を送るために特定のキャリアまたはのキャリア上にとどまる（すなわち、デフォルトでサーチする）。無線ネットワークは、たとえば、ＵＭＴＳ(Universal Mobile Telecommunications System)またはＬＴＥ(Long Term Evolution)に基づくことができる。しかしながら、当業者は、ＵＭＴＳおよびＬＴＥに加えて、他の無線通信システムが、本開示の技術的範囲に影響を与えずに、使用されることができることを理解するであろう。
【００３５】
ネットワーク・オペレータは、無線ネットワーク中の複数のキャリア周波数へのアクセスを管理する改良された方法を捜し求める。１つの態様において、本開示は、特定のタイプ（ハンドセット対データ・カード）またはある決まった能力／特徴をサポートする、あるいは特定のアクセス・ストラタム・リリース・タイプのＵＥだけが、ＵＭＴＳまたはＬＴＥのような、しかしそれに制限されない、マルチ・キャリア・セルラ・ネットワーク中に配置された多数の周波数のうちの１つ上にとどまることを可能にする簡単な技術を開示する。これは、ある決まったタイプ／クラスのＵＥだけがある決まったキャリア（周波数）上にとどまれることを確実にすることにおいてネットワーク・オペレータのフレキシビリティの程度を増加させる。たとえば、ネットワーク・オペレータがＨＳＤＰＡ（高速ダウンリンク・パケット・アクセス）使用可能デバイスを有する特定のデータ・カード顧客のためにある決まった周波数を使用することを望む場合、それらはこのようなデバイスだけがそのキャリア上にとどまることを可能にすることができる。
【００３６】
１つの態様において、本願開示の方法は、２つの異なる周波数を使用することができるマクロ対フェムト・セル上に、ＵＥがとどまることを阻止するために使用される。たとえば、オペレータは、ＵＭＴＳ  Ｒｅｌ−５  ＵＥだけがフェムト・セル上にとどまることを可能にすることができる。１つの態様では、フェムト・セルは、具体的には屋内使用向けの、小さいサービス・エリアを備えたセルである。全体として、本開示は、ある決まったキャリアが特定の基準に基づく使用に適さないことを、ＵＥが決定できるようにする技術を提供する。
【００３７】
別の態様では、ＵＭＴＳ／ＬＴＥ  Ｒｅｌ−８仕様書は、すべてのＵＥへの相対周波数優先度(relative frequency priority)リストのブロードキャストを可能にし、さらに個々のＵＥへ送られる絶対周波数優先度スキーム(absolute frequency priority scheme)を可能にする周波数優先度スキームを含む。
【００３８】
１つの態様では、絶対周波数優先度スキームは、たとえば、ＵＴＲＡＮ（ＵＭＴＳ地上無線アクセス・ネットワーク(UMTS Terrestrial Radio Access Network)）モビリティ情報メッセージを使用して、ＵＥのアクセス・ストラタム・リリース情報、特徴能力および他の基準に基づき優先順位をつけられた周波数の特定の／カスタマイズされたリストを、ＵＥが受信することを可能にする。一例において、モビリティ情報メッセージは、ＵＥにモビリティ情報を伝達するためにＵＴＲＡＮによって送られたメッセージである。
【００３９】
絶対周波数優先度リストは、ＵＥに、それがＵＥのリリースおよび特徴を仮定すれば最も適切である最も高い優先度の周波数でアクセスすることを試みるに違いない周波数の優先順位をつけられたリストを通知するために使用される。一例においては、これは、ＵＥがパワーアップしてネットワークに登録しようと試みるとき、あるいはそれが新しいセルへ再選択するときに、発生する。この絶対周波数優先度情報の受信に続いて、ＵＥは、その後、そのリリースおよび特徴セットに基づいて最も適した最も高い優先度の周波数上に呼をとどめ、電話をすることを試みる。
【００４０】
１つの態様では、本願開示は、ユーザ・デバイスが、無線ネットワーク上のブロードキャストチャネルを直接読取り、デバイス特性を仮定すれば特定のキャリアが適切であるか否かを決定することを可能にする。たとえば、ＵＭＴＳ／ＬＴＥ無線ネットワークにおいては、システム情報ブロードキャストメッセージは、下記のような追加のフィールドを含むことができる。  
１．特定のＵＭＴＳリリース・タイプ（Ｒｅｌ  ９９、Ｒｅｌ−５、Ｒｅｌ−６、Ｒｅｌ−７、Ｒｅｌ−８等）のＵＥへのアクセスを可能にするフィールド  
２．デバイス・タイプ − ハンドセット対データ・カードによってＵＥを区別するフィールド  
３．ＨＳＤＰＡ、ＥＵＬ（ＨＳＵＰＡとも呼ばれるエンハンスド・アップリンク）、ＭＩＭＯ（多入力多出力）、連続パケット接続性および様々な他の特徴のような、特徴のためのサポートを区別するフィールド（ビットマップ）。一例において、ビットマップは、特徴のうちのいずれがこのセル（すなわち、周波数）によって明示的にサポートされないかを示すことができ、また、この特徴をサポートするＵＥがこのセル（すなわち、周波数）上にとどめるべきでないことを示すことができる。
【００４１】
一例において、ＵＥはまた、それがハンドセットであるか、あるいはデータ・カードであるかを特定する情報をポピュレートされることができる。当業者は、他のフィールドが本願開示の技術的範囲に影響を与えずに含まれることができることを理解するだろう。
【００４２】
本願開示は、マルチ・キャリア配置にフレキシビリティを与え、同時に、オペレータが特定のタイプのＵＥにのみサービスを提供することのできるシングル・キャリア配置に選択的に使用されることができる。それは、特定の周波数上のある決まったユーザ・タイプに特定のアプリケーション、サービスあるいはサービス品質（ＱｏＳ）を提供するつもりであるネットワーク・オペレータにオプションを提供する。
【００４３】
１つの態様において、開示された方法は、ネットワーク・オペレータにより設定されることができる基準に基づいて選択された周波数セル上だけに、ＵＥがとどまることを可能にする。ＵＥがセルのブロードキャストチャネルを読取ることを要求されるだけなので、開示された方法は、迅速に実行されることができる。ＵＭＴＳ／ＬＴＥ  Ｒｅｌ−８仕様書は、絶対周波数優先度スキームを提供するが、現在開示されているスキームは、それがハンドセット／データ・カード間の区別を明示的に含み、また、他のオプションを含むために拡張されることができるので、ある決まった場合にインプリメントすることがより簡単な代替スキームである。それはまた、専用メッセージングによってＵＥに絶対優先度リストを提供することを必要としない。
【００４４】
図４Ａは、無線デバイスのアクセス・ストラタム・リリースのための一例のフローチャートを示す。ブロック４１０において、利用可能なセルを電力アップし再選択する。ブロック４１０に続いて、ブロック４２０において、複数のセルからのＲＦ信号強度を測定し、測定と信号強度基準に基づいて利用可能なセルの適合性を決定する。ブロック４２０に続き、ブロック４３０において、現在のサービング・セルからのブロードキャスト・チャネルからシステム情報を読取る。次に、ブロック４３５において、ユーザ装置（ＵＥ）が利用可能なセルに適切であるか否かを決定する。イエスの場合、ブロック４７０に進む。ノーの場合は、ブロック４８０に進む。１つの態様において、ブロック４３５は、図４Ｂに示されている次に続くブロック４４０、４５０あるいは４６０のうちの少なくとも１つを備える。
【００４５】
ブロック４４０では、ブロードキャストされたシステム情報からのシステム・リリース情報をＵＥのシステム・リリース情報とを比較する。それらが同じ場合、ブロック４５０に進む。それらが同じでない場合、ブロック４８０に進む。
【００４６】
ブロック４５０では、利用可能なセルが、それをＵＥの最適パフォーマンスに適したものにする特定の特徴をサポートするか否かを決定する。イエスの場合、ブロック４６０に進む。ノーの場合は、ブロック４８０に進む。ブロック４６０において、利用可能なセルと周波数の組合せは、ＵＥ（すなわち、ハンドセット、データ・カード等のようなＵＥのタイプ）に適しているか否かを決定する。イエスの場合、ブロック４７０に進む。ノーの場合、ブロック４８０に進む。ブロック４７０において、利用可能なセルにとどまり、サービスを取得する。ブロック４８０において、他の周波数上の他の利用可能なセルに関してＲＦ信号強度を比較し、ブロック４２０からスタートするサイクルを繰返す。一例において、ユーザ装置は、図４Ａおよび４Ｂのフローチャートのステップを行なう。
【００４７】
図４Ａおよび４Ｂ中の例示的なフローチャートで開示されたステップの順序は、本願開示の技術的範囲を逸脱せずに交換可能であることが当業者により理解されるだろう。フローチャートの中に示されたステップは排他的でなく、他のステップが含まれることができ、あるいは例示的なフローチャートの中のステップのうちの１または複数のものは、本開示の技術的範囲に影響を与えずに削除されることができることもまた当業者により理解されるであろう。
【００４８】
当業者は、ここに開示された例に関して記載された様々な例示的なコンポーネント、論理ブロック、モジュール、回路および／またはアルゴリズム・ステップが電子ハードウェア、ファームウェア、コンピュータ・ソフトウェア、あるいはその組合せとしてインプリメントされることができることをさらに認識するであろう。ハードウェア、ファームウェアおよびソフトウェアのこの互換性を明確に例示するために、様々な例示的なコンポーネント、ブロック、モジュール、回路および、またはアルゴリズム・ステップは、それらの機能性の点から上記に一般的に説明されてきた。そのような機能性がハードウェアとしてインプリメントされるか、ファームウェアとしてインプリメントされるか、あるいはソフトウェアとしてインプリメントされるかは、システム全体に課された設計制約および特定の用途に依存する。当業者は、各特定の用途の方法に関して異なるやり方で記載された機能性をインプリメントすることができるが、しかしそのようなインプリメンテーション決定は、本開示の技術的範囲からの逸脱を生じさせるものと解釈されるべきではない。
【００４９】
たとえば、ハードウェア・インプリメンテーションに関して、処理装置は、１または複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールド・プログラマブル・ゲート・アレイ（ＦＰＧＡ）、プロセッサ、コントローラ、マイクロ・コントローラ、マイクロプロセッサ、ここに記載されている機能を行なうように設計された他の電子装置、あるいはその組合せ内においてインプリメントされることができる。ソフトウェアに関しては、インプリメンテーションは、そこに記載されているファンクションを行なうモジュール（たとえば、プロシージャ、ファンクション等）によるものであることができる。ソフトウェア・コードは記憶装置に格納され、プロセッサ装置によって実行されることができる。さらに、ここに記載された様々な例示的なフローチャート、論理ブロック、モジュールおよび、またはアルゴリズム・ステップはまた、技術的に既知の任意のコンピュータ・プログラム製品でインプリメントされる、あるいは技術的に既知の任意のコンピュータ可読媒体上で処理されるコンピュータ可読命令としてコード化されることができる。
【００５０】
１または複数の例において、ここに記載されたステップまたは機能は、ハードウェア、ソフトウェア、ファームウェア、あるいはその任意の組合せでインプリメントされることができる。ソフトウェアでインプリメントされる場合、機能は、コンピュータ可読媒体上の１または複数の命令またはコードとして格納または送信されることができる。コンピュータ可読媒体は、ある場所から別の場所へのコンピュータ プログラムの転送を容易にする任意の媒体を含む通信媒体とコンピュータ記憶媒体の両者を含む。記憶媒体はコンピュータによりアクセスされることのできる任意の入手可能な媒体であることができる。限定ではなく、例示すると、このようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または任意の他の磁気記憶デバイス、あるいはコンピュータによってアクセスされることのできる及びデータ構造または命令の形態で望まれるプログラム・コードを伝送し、または格納するために使用されることのできる任意の他の媒体を備えることができる。さらに、いずれの接続もコンピュータ可読媒体と適切に呼ばれる。たとえば、同軸ケーブル、光ファイバ・ケーブル、撚線対、デジタル加入者線（ＤＳＬ）、または赤外線、無線、及びマイクロ波のような無線テクノロジーを使用して、ソフトウェアがウェブサイト、サーバ、または他の遠隔ソースから送信される場合、同軸ケーブル、光ファイバ・ケーブル、撚線対、ＤＳＬ、または赤外線、無線、及びマイクロ波のような無線テクノロジーは、媒体の定義に含まれる。ここで使用されているディスク(disk) 及びディスク(disc)は、コンパクト ディスク（ＣＤ）、レーザ ディスク、光ディスク、デジタル多用途ディスク（ＤＶＤ）、フロッピー（登録商標）ディスク及びブルーレイディスク（登録商標）を含み、ここで、ディスク(disks)は通常データを磁気的に再生し、一方ディスク(discs)はレーザを用いてデータを光学的に再生する。上記の組合せもまた、コンピュータ可読媒体の技術的範囲内に含まれるべきである。
【００５１】
一例において、個々に記載されている例示的なコンポーネント、フローチャート、論理ブロック、モジュールおよび、またはアルゴリズム・ステップは、１または複数のプロセットを用いてインプリメントされ、あるいは行なわれることができる。１つの態様では、プロセッサは、ここに記載されている様々なフローチャート、論理ブロックおよび、またはモジュールをインプリメントし、あるいは行なうためにプロセッサによって実行されるデータ、メタデータ、プログラム命令等を格納するメモリと結合される。図５は、無線デバイスのアクセス・ストラタム・リリースのためのプロセスを実行するメモリ５２０と通信しているプロセッサ５１０を備えるデバイス５００の一例を示す。一例において、デバイス５００は、図４Ａおよび４Ｂ中に示されているアルゴリズムをインプリメントするために使用される。１つの態様においては、メモリ５２０はプロセッサ５１０内に位置される。別の態様では、メモリ５２０はプロセッサ５１０の外部にある。１つの態様においては、プロセッサは、ここに記載された様々なフローチャート、論理ブロックおよび、またはモジュールをインプリメントし、あるいは行う回路を含む。
【００５２】
図６Ａは、無線デバイスのアクセス・ストラタム・リリースに適切なデバイス６００の一例を示す。１つの態様においては、デバイス６００は、ここにおいてブロック６１０、６２０、６３０、６３５、６７０および６８０中に記載されている無線デバイスのアクセス・ストラタム・リリースの異なる態様を提供するように構成された１または複数のモジュールを備える少なくとも１つのプロセッサによってインプリメントされる。１つの態様では、ブロック６３５は、図６Ｂに示されている後続のブロック６４０、６５０あるいは６６０のうちの少なくとも１つを備える。
【００５３】
たとえば、各モジュールは、ハードウェア、ファームウェア、ソフトウェア、あるいはその任意の組合せを備える。１つの態様では、デバイス６００はまた、少なくとも１つのプロセッサと通信している少なくとも１つのメモリによってインプリメントされる。
【００５４】
開示された態様の先の説明は、当業者が本願開示を作成し、あるいは使用することを可能にするために提供されている。これらの態様への様々な修正は当業者に容易に明白になり、また、ここに規定されている一般的な原理は、開示の技術的範囲を逸脱せずに、他の態様に適用され得る。
以下に本願出願の当初の特許請求の範囲について記載された発明を付記する。
［Ｃ１］
現在のサービビング・セルからの少なくとも１つのブロードキャスト・チャネルからシステム情報を読取ることと、
前記ブロードキャストされたシステム情報に含まれる情報に基づいて、利用可能なセルがユーザ装置（ＵＥ）に適しているか否かを決定することと、を備え、前記決定するステップは、
前記ブロードキャストされたシステム情報からの前記ユーザ装置（ＵＥ）のシステム・リリース情報を比較すること、
前記利用可能なセルを前記ＵＥの最適パフォーマンスに適したものにする特定の特徴を、前記利用可能なセルがサポートするか否かを決定すること、あるいは
前記利用可能なセルおよび周波数の組合せがＵＥのタイプに適しているか否かを決定すること、
のうちの少なくとも１つを備える、アクセス・ストラタム管理のための方法。
［Ｃ２］
前記利用可能なセル上にとどまり、前記利用可能なセルからサービスを取得することをさらに備える、［Ｃ１］記載の方法。
［Ｃ３］
少なくとも１つの他の周波数上の少なくとも１つの他の利用可能なセルに関してＲＦ信号強度を比較することをさらに備える、［Ｃ１］記載の方法。
［Ｃ４］
複数のセルからのＲＦ信号強度を測定することをさらに備え、前記利用可能なセルは、前記複数のセルの一部である、［Ｃ３］記載の方法。
［Ｃ５］
信号強度基準と前記ＲＦ信号強度の前記測定に基づいて、前記利用可能なセルの適合性を決定することをさらに備える、［Ｃ４］記載の方法。
［Ｃ６］
前記複数のセルからの第２の利用可能なセルに関して、［Ｃ１の前記決定するステップを繰返すことをさらに備える、［Ｃ５］記載の方法。
［Ｃ７］
電力アップし、前記利用可能なセルを再選択することをさらに備える、［Ｃ６］記載の方法。
［Ｃ８］
前記ＵＥのタイプは、ハンドセットまたはデータ・カードのいずれかである、［Ｃ１］記載の方法。
［Ｃ９］
前記ＵＥは、ある決まった３ＧＰＰリリース・タイプ：Ｒｅｌ  ９９，Ｒｅｌ  ４，Ｒｅｌ  ５，Ｒｅｌ  ６，Ｒｅｌ  ７，Ｒｅｌ  ８または次のリリースと互換性がある、［Ｃ１］記載の方法。
［Ｃ１０］
前記システム情報は、ある決まった無線ネットワーク特徴（たとえば、高速ダウンリンク・パケット・アクセス（ＨＳＤＰＡ）、高速アップリンク・パケット・アクセス（ＨＳＵＰＡ）、マルチプル・インプット・マルチプル・アウトプット（ＭＩＭＯ）、連続パケット接続性）との互換性に関する情報を含む、［Ｃ１］記載の方法。
［Ｃ１１］
前記システム情報は、１または複数の互換性のある３ＧＰＰリリースおよび、または特徴に関する情報を含む、［Ｃ１］記載の方法。
［Ｃ１２］
前記ステップは、ロング・ターム・エボリューション（ＬＴＥ）無線デバイスによって行なわれる、［Ｃ１］記載の方法。
［Ｃ１３］
プロセッサおよびメモリを備えるユーザ装置であって、前記メモリは、
現在のサービスしているセルからの少なくとも１つのブロードキャストチャネルからシステム情報を読取ることと、
ブロードキャストされた前記システム情報に含まれている情報に基づいて、利用可能なセルがユーザ装置（ＵＥ）に適しているか否かを決定することと、
を実行するために前記プロセッサによって実行可能なプログラム・コードを含み、前記決定するステップのための前記プログラム・コードは、
前記ブロードキャストされたシステム情報からの前記ユーザ装置（ＵＥ）のシステム・リリース情報を比較すること、
前記利用可能なセルを前記ＵＥの最適パフォーマンスに適したものにする特定の特徴を、前記利用可能なセルがサポートするか否かを決定すること、あるいは
前記利用可能なセルおよび周波数の組合せがＵＥのタイプに適しているか否かを決定すること、
のうちの少なくとも１つを実行するためのプログラム・コードを備える、ユーザ装置。
［Ｃ１４］
前記メモリは、前記利用可能なセル上にとどまり、前記利用可能なセルからサービスを取得するためのプログラム・コードをさらに備える、［Ｃ１３］記載のユーザ装置。
［Ｃ１５］
前記メモリは、少なくとも１つの他の周波数上の少なくとも１つの他の利用可能なセルに関してＲＦ信号強度を比較するためのプログラム・コードをさらに備える、［Ｃ１３］記載のユーザ装置。
［Ｃ１６］
前記メモリは、複数のセルからのＲＦ信号強度を測定するためのプログラム・コードをさらに備え、前記利用可能なセルは前記複数のセルの一部である、［Ｃ１５］記載のユーザ装置。
［Ｃ１７］
前記メモリは、信号強度基準と前記ＲＦ信号強度の前記測定に基づいて、前記利用可能なセルの適合性を決定するためのプログラム・コードをさらに備える、［Ｃ１６］記載のユーザ装置。
［Ｃ１８］
前記メモリは、前記複数のセルからの第２の利用可能なセルに関して、［Ｃ１３の前記決定するステップを繰返すためのプログラム・コードをさらに備える、［Ｃ１７］記載のユーザ装置。
［Ｃ１９］
前記メモリは、パワーアップし、前記利用可能なセルを再選択するためのプログラム・コードをさらに備える、［Ｃ１８］記載のユーザ装置。
［Ｃ２０］
前記ＵＥのタイプはハンドセットまたはデータ・カードのいずれかである、［Ｃ１３］記載のユーザ装置。
［Ｃ２１］
前記ＵＥは、ある決まった３ＧＰＰリリース・タイプ：Ｒｅｌ  ９９，Ｒｅｌ  ４，Ｒｅｌ  ５，Ｒｅｌ  ６，Ｒｅｌ  ７，Ｒｅｌ  ８または次のリリースと互換性がある、［Ｃ１３］記載のユーザ装置。
［Ｃ２２］
前記システム情報は、ある決まった無線ネットワーク特徴（たとえば、高速ダウンリンク・パケット・アクセス（ＨＳＤＰＡ）、高速アップリンク・パケット・アクセス（ＨＳＵＰＡ）、マルチプル・インプット・マルチプル・アウトプット（ＭＩＭＯ）、連続パケット接続性）との互換性に関する情報を含む、［Ｃ１３］記載のユーザ装置。
［Ｃ２３］
前記システム情報は、１または複数の互換性のある３ＧＰＰリリースおよび、または特徴に関する情報を含む、［Ｃ１３］記載のユーザ装置。
［Ｃ２４］
前記ＵＥは、ロング・ターム・エボリューション（ＬＴＥ）無線デバイスである、［Ｃ１３］記載のユーザ装置。
［Ｃ２５］
現在のサービスしているセルからの少なくとも１つのブロードキャストチャネルからシステム情報を読取るための手段と、
ブロードキャストされた前記システム情報に含まれている情報に基づいて、利用可能なセルがユーザ装置（ＵＥ）に適しているか否かを決定するための手段と、を備え、前記決定するための手段は、
前記ブロードキャストされたシステム情報からの前記ユーザ装置（ＵＥ）のシステム・リリース情報を比較するための手段、
前記利用可能なセルを前記ＵＥの最適パフォーマンスに適したものにする特定の特徴を、前記利用可能なセルがサポートするか否かを決定するための手段、あるいは
前記利用可能なセルおよび周波数の組合せがＵＥのタイプに適しているか否かを決定するための手段、
のうちの少なくとも１つを備える、アクセス・ストラタム管理のためのユーザ装置。
［Ｃ２６］
前記利用可能なセル上にとどまり、前記利用可能なセルからサービスを取得するための手段をさらに備える、［Ｃ２５］記載のユーザ装置。
［Ｃ２７］
少なくとも１つの他の周波数上の少なくとも１つの他の利用可能なセルに関してＲＦ信号強度を比較するための手段をさらに備える、［Ｃ２５］記載のユーザ装置。
［Ｃ２８］
複数のセルからのＲＦ信号強度を測定するための手段をさらに備え、前記利用可能なセルは、前記複数のセルの一部である、［Ｃ２７］記載のユーザ装置。
［Ｃ２９］
信号強度基準と前記ＲＦ信号強度の前記測定に基づいて、前記利用可能なセルの適合性を決定するための手段をさらに備える、［Ｃ２８］記載のユーザ装置。
［Ｃ３０］
前記複数のセルからの第２の利用可能なセルに関して、［Ｃ２５における前記決定するための手段を使用可能にするための手段をさらに備える、［Ｃ２９］記載のユーザ装置。
［Ｃ３１］
電力アップし、前記利用可能なセルを再選択するための手段をさらに備える、［Ｃ６］記載のユーザ装置。
［Ｃ３２］
前記ＵＥのタイプはハンドセットまたはデータ・カードのいずれかである、［Ｃ２５］記載のユーザ装置。
［Ｃ３３］
前記ＵＥは、ある決まった３ＧＰＰリリース・タイプ：Ｒｅｌ  ９９，Ｒｅｌ  ４，Ｒｅｌ  ５，Ｒｅｌ  ６，Ｒｅｌ  ７，Ｒｅｌ  ８または次のリリースと互換性がある、［Ｃ２５］記載のユーザ装置。
［Ｃ３４］
前記システム情報は、ある決まった無線ネットワーク特徴（たとえば、高速ダウンリンク・パケット・アクセス（ＨＳＤＰＡ）、高速アップリンク・パケット・アクセス（ＨＳＵＰＡ）、マルチプル・インプット・マルチプル・アウトプット（ＭＩＭＯ）、連続パケット接続性）との互換性に関する情報を含む、［Ｃ２５］記載のユーザ装置。
［Ｃ３５］
前記システム情報は、１または複数の互換性のある３ＧＰＰリリースおよび、または特徴に関する情報を含む、［Ｃ２５］記載のユーザ装置。
［Ｃ３６］
前記ＵＥは、ロング・ターム・エボリューション（ＬＴＥ）無線デバイスである、［Ｃ２５］記載のユーザ装置。
［Ｃ３７］
コンピュータ・プログラムを格納するコンピュータ可読媒体であって、前記コンピュータ・プログラムは、
現在のサービスしているセルからの少なくとも１つのブロードキャストチャネルからシステム情報を読取ることと、
ブロードキャストされた前記システム情報に含まれている情報に基づいて、利用可能なセルがユーザ装置（ＵＥ）に適しているか否かを決定することと、
のために実行され、前記決定するステップは、
前記ブロードキャストされたシステム情報からの前記ユーザ装置（ＵＥ）のシステム・リリース情報を比較すること、
前記利用可能なセルを前記ＵＥの最適パフォーマンスに適したものにする特定の特徴を、前記利用可能なセルがサポートするか否かを決定すること、あるいは
前記利用可能なセルおよび周波数の組合せがＵＥのタイプに適しているか否かを決定すること、
のうちの少なくとも１つを備える、コンピュータ可読媒体。
【図１】
0005575810.tif 000002
【図２】
0005575810.tif 000003
【図３】
0005575810.tif 000004
【図４Ａ】
0005575810.tif 000005
【図４Ｂ】
0005575810.tif 000006
【図５】
0005575810.tif 000007
【図６Ａ】
0005575810.tif 000008
【図６Ｂ】
0005575810.tif 000009